(57)【要約】【課題】複数のＬＥＤモジュールのそれぞれの輝度分布の均斉度の低下を抑制する。【解決手段】ＬＥＤ発光装置１は、複数のＬＥＤモジュール４と、複数のＬＥＤモジュール４の各々の正極と電気的に接続される第１入力端子１１とを備える。ＬＥＤ発光装置１は、複数のＬＥＤモジュール４の各々の負極と電気的に接続される第２入力端子１２を備える。複数のＬＥＤモジュール４の各々は、順方向に電気的に直列接続される複数のＬＥＤ４０と、複数のＬＥＤ４０のうちの少なくとも一つのＬＥＤ４０と電気的に並列接続される、一つ以上の電流調整部４１とを有する。一つ以上の電流調整部４１は、電気的な抵抗値が可変である。一つ以上の電流調整部４１は、抵抗値を変化させることによって複数のＬＥＤ４０に流れる電流を調整する。【選択図】        図１
2020021616.tif 000002
【特許請求の範囲】
【請求項１】
複数のＬＥＤモジュールと、
前記複数のＬＥＤモジュールの各々の正極と電気的に接続される第１入力端子と、
前記複数のＬＥＤモジュールの各々の負極と電気的に接続される第２入力端子と
を備え、
前記複数のＬＥＤモジュールの各々は、
前記正極から前記負極に向かう順方向に沿って電気的に直列接続される複数のＬＥＤと、
前記複数のＬＥＤのうちの少なくとも一つのＬＥＤと電気的に並列接続される、一つ以上の電流調整部と
を有し、
前記一つ以上の電流調整部は、電気的な抵抗値が可変であり、前記抵抗値を変化させることによって前記少なくとも一つのＬＥＤに流れる電流を調整する、
ＬＥＤ発光装置。
【請求項２】
前記複数のＬＥＤモジュールの各々は、前記電流調整部を複数備え、
複数の前記電流調整部の各々は、前記複数のＬＥＤと一対一に対応して設けられる、
請求項１記載のＬＥＤ発光装置。
【請求項３】
前記複数のＬＥＤモジュールの各々は、前記複数のＬＥＤと電気的に直列接続される第１限流部を一つずつ有し、
前記第１限流部は、電気的な抵抗値が可変である、
請求項１又は２記載のＬＥＤ発光装置。
【請求項４】
前記第１入力端子と前記第２入力端子の間に一つ以上の第２限流部が設けられ、
前記一つ以上の第２限流部は、前記複数のＬＥＤモジュールと電気的に並列接続され、
前記一つ以上の第２限流部は、電気的な抵抗値が可変である、
請求項１〜３のいずれか１項に記載のＬＥＤ発光装置。
【請求項５】
前記電流調整部の前記抵抗値の上限値が、前記電流調整部と電気的に並列接続された前記ＬＥＤの電気的な抵抗成分の抵抗値の５０倍以上である、
請求項１〜４のいずれか１項に記載のＬＥＤ発光装置。
【請求項６】
前記第１限流部の前記抵抗値の上限値が、前記第１限流部と電気的に直列接続されている前記複数のＬＥＤの電気的な抵抗成分の合成抵抗値の３倍以上である、
請求項３記載のＬＥＤ発光装置。
【請求項７】
前記第２限流部の前記抵抗値の下限値が、前記第２限流部と電気的に並列接続されている前記複数のＬＥＤモジュールの電気的な抵抗成分の合成抵抗値の５０倍以上である、
請求項４記載のＬＥＤ発光装置。
【請求項８】
前記複数のＬＥＤモジュールのうちの少なくとも一つのＬＥＤモジュールは、互いに光源色が異なる２種類以上のＬＥＤ（４０）を有する、
請求項１〜７のいずれか１項に記載のＬＥＤ発光装置。
【請求項９】
請求項１〜８のいずれかのＬＥＤ発光装置と、
電源装置と
を備え、
前記電源装置は、前記ＬＥＤ発光装置の前記第１入力端子及び前記第２入力端子と電気的に接続されて前記第１入力端子及び前記第２入力端子から前記ＬＥＤ発光装置へ直流電力を供給する、
照明装置。
【発明の詳細な説明】
【技術分野】
【０００１】
本発明は、ＬＥＤ発光装置及び照明装置に関し、より詳細には、それぞれに複数のＬＥＤが電気的に直列接続されて構成された複数のＬＥＤモジュールを有するＬＥＤ発光装置と、当該ＬＥＤ発光装置を備える照明装置に関する。
【背景技術】
【０００２】
従来例として特許文献１記載の発光装置（ＬＥＤ発光装置）を例示する。従来例は、直流電圧を出力する電源部と、電源部の出力端子間に電気的に並列接続された複数個の第１合成発光装置ユニット（ＬＥＤモジュール）とを備えている。各第１合成発光装置ユニットは、順方向で電気的に直列接続された複数のＬＥＤと、各ＬＥＤに一つずつ電気的に並列接続された複数の抵抗とを備えている。
【０００３】
従来例では、各ＬＥＤを消灯状態としたとき、外光に起因してＬＥＤに印加される逆起電力を抵抗によって抑制し、ＬＥＤの劣化を防止している。
【先行技術文献】
【特許文献】
【０００４】
【特許文献１】特開２０１０−２０５９２０号公報
【発明の概要】
【発明が解決しようとする課題】
【０００５】
ところで、ＬＥＤモジュールを構成している複数個のＬＥＤの一つ一つは、必ずしも同一の電気的特性を有しているわけではない。例えば、従来例における複数の第１合成発光装置ユニット（ＬＥＤモジュール）には電源部から同一の直流電圧が印加されるが、個々のＬＥＤの電気的な特性のばらつきに起因して、各々の第１合成発光装置ユニットに流れる電流がばらついてしまう。また、個々のＬＥＤに流れる電流の大きさが同じであっても、各ＬＥＤから放射される光束にばらつきが生じる。その結果、ＬＥＤモジュールの輝度分布の均斉度が低下してしまう可能性がある。
【０００６】
本発明の目的は、複数のＬＥＤモジュールのそれぞれの輝度分布の均斉度の低下を抑制することができるＬＥＤ発光装置及び照明装置を提供することである。
【課題を解決するための手段】
【０００７】
本発明の一態様に係るＬＥＤ発光装置は、複数のＬＥＤモジュールと、前記複数のＬＥＤモジュールの各々の正極と電気的に接続される第１入力端子と、前記複数のＬＥＤモジュールの各々の負極と電気的に接続される第２入力端子とを備える。前記複数のＬＥＤモジュールの各々は、前記正極から前記負極に向かう順方向に沿って電気的に直列接続される複数のＬＥＤと、前記複数のＬＥＤのうちの少なくとも一つのＬＥＤと電気的に並列接続される、一つ以上の電流調整部とを有する。前記一つ以上の電流調整部は、電気的な抵抗値が可変であり、前記抵抗値を変化させることによって前記少なくとも一つのＬＥＤに流れる電流を調整する。
【０００８】
本発明の一態様に係る照明装置は、ＬＥＤ発光装置と、電源装置とを備える。前記電源装置は、前記ＬＥＤ発光装置の前記第１入力端子及び前記第２入力端子と電気的に接続されて前記第１入力端子及び前記第２入力端子から前記ＬＥＤ発光装置へ直流電力を供給する。
【発明の効果】
【０００９】
本発明のＬＥＤ発光装置及び照明装置は、複数のＬＥＤモジュールのそれぞれの輝度分布の均斉度の低下を抑制することができるという効果がある。
【図面の簡単な説明】
【００１０】
【図１】図１は、本発明の実施形態に係るＬＥＤ発光装置及び照明装置の回路ブロック図である。
【図２】図２は、同上のＬＥＤ発光装置の変形例１の回路ブロック図である。
【図３】図３は、同上のＬＥＤ発光装置の変形例２の回路ブロック図である。
【図４】図４は、同上のＬＥＤ発光装置の変形例３の回路ブロック図である。
【図５】図５は、同上のＬＥＤ発光装置の変形例４の回路ブロック図である。
【図６】図６は、同上の照明装置の変形例の分解斜視図である。
【発明を実施するための形態】
【００１１】
以下、本発明の実施形態に係るＬＥＤ発光装置及び照明装置について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１２】
実施形態の照明装置３は、図１に示すように、実施形態のＬＥＤ発光装置１と、電源装置２とを備える。電源装置２は、交流電源９から供給される交流電力を直流電力に変換して出力する。例えば、電源装置２は、交流電源９から入力される交流電圧を昇圧して力率を改善する力率改善回路（昇圧チョッパ回路）と、力率改善回路から出力される直流電圧を降圧する降圧チョッパ回路とを有することが好ましい。ただし、力率改善回路と降圧チョッパ回路は電源装置２に必須の構成ではない。電源装置２は、力率改善回路の代わりに、全波整流器と平滑コンデンサを有してもよい。また、電源装置２は、降圧チョッパ回路の代わりに、昇降圧チョッパ回路などの降圧チョッパ回路以外のスイッチング電源回路又はシリーズレギュレーターなどを有してもよい。なお、電源装置２は、定電流動作を行う。
【００１３】
ＬＥＤ発光装置１は、電源装置２の正極の出力端子（不図示）と電気的に接続される第１入力端子１１と、電源装置２の負極の出力端子（不図示）と電気的に接続される第２入力端子１２とを備える。また、ＬＥＤ発光装置１は、複数（図示例では三つ）のＬＥＤモジュール４を備える。これら三つのＬＥＤモジュール４の正極が第１入力端子１１と電気的に接続されている。また、これら三つのＬＥＤモジュール４の負極が第２入力端子１２と電気的に接続されている。なお、以下の説明においては、三つのＬＥＤモジュール４を、第１のＬＥＤモジュール４Ａ、第２のＬＥＤモジュール４Ｂ及び第３のＬＥＤモジュール４Ｃと呼ぶ場合がある。
【００１４】
各ＬＥＤモジュール４は、複数個（図示例では６個）のＬＥＤ（Light Emitting Diode）４０と、複数（図示例では６個）の電流調整部４１とを有する。ＬＥＤ４０は、例えば、照明用白色ＬＥＤである。なお、ＬＥＤモジュール４の正極は、直列に接続されている６個のＬＥＤ４０のうちで順方向の最後尾（図１における最上位）に位置するＬＥＤ４０のアノードである。また、ＬＥＤモジュール４の負極は、直列に接続されている６個のＬＥＤ４０のうちで順方向の先頭（図１における最下位）に位置するＬＥＤ４０のカソードである。
【００１５】
電流調整部４１は、可変抵抗器（ポテンショメータ）である。ただし、電流調整部４１は、半固定抵抗器（トリマポテンショメータ）でもよいし、デジタルポテンショメータでもよい。あるいは、電流調整部４１は、電気的に並列接続された複数個の固定抵抗と、複数個の固定抵抗のうちの一つ以上の固定抵抗への電路を開閉するスイッチとを有し、スイッチの開閉に応じて複数個の固定抵抗の合成抵抗の抵抗値を切り替えてもよい。さらに、電流調整部４１は、バイポーラトランジスタ又は電界効果トランジスタを用いたトランジスタ増幅回路でもよい。
【００１６】
複数の電流調整部４１の各々は、複数個のＬＥＤ４０と一つずつ電気的に並列接続されている。各電流調整部４１が可変抵抗器又は半固定抵抗器である場合、各電流調整部４１は、ＬＥＤ４０が実装されている基板（不図示）と異なる一枚又は複数枚の基板に実装され、電気ケーブルを介して各ＬＥＤ４０と電気的に接続されることが好ましい。ただし、各電流調整部４１が半固定抵抗器又はデジタルポテンショメータである場合、ＬＥＤ４０が実装されている基板のＬＥＤ４０が実装されている面と反対側の面に実装されてもよい。
【００１７】
ここで、電流調整部４１の抵抗値の上限値は、電流調整部４１と電気的に並列接続されたＬＥＤ４０の電気的な抵抗成分の抵抗値の５０倍以上であることが好ましい。例えば、ＬＥＤ４０の順方向電圧の定格値が３Ｖ、順電流の定格値が６５ｍＡとすると、電流調整部４１の抵抗値の上限値は約２．３ｋΩとなる。したがって、電流調整部４１は、０Ω〜２．５ｋΩの範囲で抵抗値を調整可能であることが好ましい。電流調整部４１の抵抗値は、初期状態において上限値に設定されている。
【００１８】
ＬＥＤの電気特性には製造上のばらつきが生じるため、同一の大きさの電流が流れたとしても、ＬＥＤのアノード・カソード間に発生する電位差（順電圧）は必ずしも等しくならない。そのため、各ＬＥＤモジュール４の電圧が一定となるようバランスをとるために、順電圧の低いＬＥＤモジュール４には、より多くの電流が流れて電圧が上昇することになる。また、順電圧の高いＬＥＤモジュール４には、より少ない電流が流れて電圧が低下することになる。その結果、より多くの電流が流れるＬＥＤモジュール４の光束が増加し、より少ない電流が流れるＬＥＤモジュール４の光束が減少する。ゆえに、複数のＬＥＤモジュール４間の光束のばらつきが大きくなるために、均斉度が低下することになる。
【００１９】
例えば、第１のＬＥＤモジュール４Ａの順電圧が、第２のＬＥＤモジュール４Ｂの順電圧及び第３のＬＥＤモジュール４Ｃの順電圧よりも高い場合、そのままでは、第１のＬＥＤモジュール４Ａに流れる電流が少なくなり、光束が減少してしまう。ここで、第１のＬＥＤモジュール４Ａを構成する６個のＬＥＤ４０のうち、入力端子１１に最も近いＬＥＤ４０に並列接続されている電流調整部４１の抵抗値を減少させ、入力端子１１に最も近いＬＥＤ４０の順電圧を低下させる。そうすれば、三つのＬＥＤモジュール４Ａ、４Ｂ、４Ｃ間の順電圧を調整可能となり、各ＬＥＤモジュール４Ａ、４Ｂ、４Ｃに流れる電流のばらつきを抑えることができる。順電圧を調整したＬＥＤ４０の光出力が低下するので、順電圧を調整するＬＥＤ４０は、照明装置３における周辺部分などの目立ちにくい場所に設置されることが好ましい。ただし、順電圧を調整するＬＥＤ４０は、複数個であってもかまわない。
【００２０】
ＬＥＤ４０の光学特性には製造上のばらつきが生じるため、各ＬＥＤ４０に流れる電流の大きさが等しいとしても各ＬＥＤ４０から放射される光束は必ずしも等しくならない。そのため、第１のＬＥＤモジュール４Ａの６個のＬＥＤ４０中の光出力が大きい１個以上のＬＥＤ４０を選定し、選定した１個以上のＬＥＤ４０と並列接続されている電流調整部４１の抵抗値を調整すればよい。これにより、ＬＥＤモジュール４の順電圧の調整を行うだけでなく、光束の大きなＬＥＤ４０の光出力を抑制することが可能となる。言い換えると、ＬＥＤモジュール４Ａ、４Ｂ、４Ｃ間の光束ばらつきを抑制するだけでなく、第１のＬＥＤモジュール４Ａ内のＬＥＤ４０間の光束のばらつきを抑制することが可能となる。
【００２１】
本実施形態のＬＥＤ発光装置１は、順電圧の異なるＬＥＤ４０を混在させても各ＬＥＤモジュール４の輝度分布の均斉度の低下を抑制することができるため、順電圧が所定の範囲内に収まっているＬＥＤ（同一の順電圧ランクのＬＥＤ）４０をそろえる場合と比較して製造コストの低減を図ることができる。
【００２２】
なお、電流調整部４１の調整作業は、ＬＥＤ発光装置１の製造工程において実施されることが好ましい。すなわち、ＬＥＤ発光装置１の製造時に各ＬＥＤ４０の順電圧を計測し、各ＬＥＤモジュール４の順電圧が同一となるように、所定のＬＥＤ４０の順電圧を調整すればよい。
【００２３】
ここで、実施形態のＬＥＤ発光装置１において、電流調整部４１によってＬＥＤ４０に流れる電流を調整することにより、ＬＥＤ発光装置１を調光することができる。つまり、ＬＥＤ発光装置１では、電源装置２の出力電流Ｉ１を変化させずに、各ＬＥＤモジュール４の明るさ（光束）を増減させて調光することができる。その結果、電源装置２には調光機能を実現するための回路構成が不要であるから、電源装置２及び照明装置３のコストダウンを図ることができる。
【００２４】
次に、実施形態のＬＥＤ発光装置１の幾つかの変形例について説明する。変形例１のＬＥＤ発光装置１は、図２に示すように、一つの電流調整部４１に対して、電気的に直列接続された複数個（図示例では３個）のＬＥＤ４０が電気的に並列接続されている。つまり、変形例１のＬＥＤ発光装置１においては、各ＬＥＤモジュール４が有する電流調整部４１の個数がＬＥＤ４０の個数よりも少ない。変形例１のＬＥＤ発光装置１は、個々のＬＥＤ４０の光束を独立して調整することはできないが、３個のＬＥＤ４０ごとにまとめて光束を調整することができる。その結果、変形例１のＬＥＤ発光装置１は、電流調整部４１の調整作業の簡素化を図るとともに電流調整部４１の個数を削減することで製造コストの低減を図ることもできる。
【００２５】
変形例２のＬＥＤ発光装置１は、図３に示すように、各ＬＥＤモジュール４において、６個のＬＥＤ４０のうちで正極に近い方の３個のＬＥＤ４０にのみ、電流調整部４１が一つずつ電気的に並列接続されている。なお、正極に近い方の３個のＬＥＤ４０（第１のＬＥＤ４０）は、順電圧が同一ランクのものではなく、負極に近い方の３個のＬＥＤ４０（第２のＬＥＤ４０）は、順電圧が同一ランクのものである。ここで、３個の第２のＬＥＤ４０が３個の第１のＬＥＤ４０に対して第１入力端子１１側に配置されてもかまわない。ゆえに、変形例２のＬＥＤ発光装置１は、調整対象となる可能性の高い第２のＬＥＤ４０の順電圧のみを調整可能とすることにより、電流調整部４１の調整作業の簡素化を図るとともに電流調整部４１の個数を削減することで製造コストの低減を図ることもできる。
【００２６】
変形例３のＬＥＤ発光装置１は、図４に示すように、各ＬＥＤモジュール４の正極と第１入力端子１１との間に第１限流部４２が一つずつ挿入されている。つまり、三つの第１限流部４２の各々の一端が第１入力端子１１に電気的に並列接続されている。また、各第１限流部４２の他端が三つのＬＥＤモジュール４のうちの対応する一つのＬＥＤモジュール４の正極と電気的に接続されている。
【００２７】
これら三つの第１限流部４２は、例えば、可変抵抗器である。ただし、第１限流部４２は、半固定抵抗器でもよいし、デジタルポテンショメータでもよい。あるいは、第１限流部４２は、電気的に並列接続された複数個の固定抵抗と、複数個の固定抵抗のうちの一つ以上の固定抵抗への電路を開閉するスイッチとを有し、スイッチの開閉に応じて複数個の固定抵抗の合成抵抗の抵抗値を切り替えてもよい。さらに、第１限流部４２は、バイポーラトランジスタ又は電界効果トランジスタを用いたトランジスタ増幅回路でもよい。なお、第１限流部４２の抵抗値の上限値は、第１限流部４２と電気的に直列接続されている複数（６個）のＬＥＤ４０の電気的な抵抗成分の合成抵抗値の３倍（例えば、４６Ω×６個×３＝８２６Ω）以上であることが好ましい。
【００２８】
変形例３のＬＥＤ発光装置１は、各第１限流部４２の抵抗値を増減させることにより、各ＬＥＤモジュール４に流れる順電流ＩＡ、ＩＢ、ＩＣを各別に調整することができる。例えば、第１のＬＥＤモジュール４Ａの６個のＬＥＤ４０が第１のＬＥＤ４０であり、第２のＬＥＤモジュール４Ｂの６個のＬＥＤ４０と第３のＬＥＤモジュール４Ｃの６個のＬＥＤ４０が第２のＬＥＤ４０であると仮定する。この場合、第２のＬＥＤモジュール４Ｂ及び第３のＬＥＤモジュール４Ｃの１２個のＬＥＤ４０の順電流を電流調整部４１で調整するよりも、第１限流部４２の抵抗値を変える方が調整作業の簡素化を図ることができる。なお、電源装置２は、定電圧動作を行ってもかまわない。
【００２９】
変形例４のＬＥＤ発光装置１は、図５に示すように、変形例３のＬＥＤ発光装置１に対して、第１入力端子１１と第２入力端子１２の間に電気的に接続された第２限流部４３を備えている。第２限流部４３は、電源装置２の出力電流Ｉ１の一部が流れる。そして、第２限流部４３に流れる電流の大きさは、第２限流部４３の抵抗値が小さいほど大きくなる。
【００３０】
第２限流部４３は、例えば、可変抵抗器である。ただし、第２限流部４３は、半固定抵抗器でもよいし、デジタルポテンショメータでもよい。あるいは、第２限流部４３は、電気的に並列接続された複数個の固定抵抗と、複数個の固定抵抗のうちの一つ以上の固定抵抗への電路を開閉するスイッチとを有し、スイッチの開閉に応じて複数個の固定抵抗の合成抵抗の抵抗値を切り替えてもよい。さらに、第２限流部４３は、バイポーラトランジスタ又は電界効果トランジスタを用いたトランジスタ増幅回路でもよい。なお、第２限流部４３の抵抗値の下限値は、第２限流部４３と電気的に並列接続されている複数（３個）のＬＥＤモジュール４の電気的な抵抗成分の合成抵抗値の５０倍（２７６Ω÷３×５０＝４６０Ω）以上であることが好ましい。
【００３１】
変形例４のＬＥＤ発光装置１は、第２限流部４３の抵抗値を増減させることにより、電源装置２の出力電流Ｉ１を変化させずに、各ＬＥＤモジュール４に流れる順電流ＩＡ、ＩＢ、ＩＣをまとめて調整することができる。つまり、変形例４のＬＥＤ発光装置１は、第２限流部４３の抵抗値を増減させることによって、三つのＬＥＤモジュール４の光束を変化させて簡単に調光することができる。なお、電源装置２は、定電圧動作を行ってもかまわない。
【００３２】
ここで、実施形態及び変形例１〜４のＬＥＤ発光装置１において、複数のＬＥＤモジュール４のうちの少なくとも一つのＬＥＤモジュール４は、互いに光源色が異なる２種類以上のＬＥＤ４０を有してもかまわない。例えば、各ＬＥＤモジュール４は、相関色温度が２６００Ｋ〜３２５０Ｋの電球色のＬＥＤ４０と、相関色温度が５７００Ｋ〜７１００Ｋの昼光色のＬＥＤ４０とを有することが好ましい。あるいは、各ＬＥＤモジュール４は、赤色のＬＥＤ４０、緑色のＬＥＤ及び青色のＬＥＤ４０を有することが好ましい。一つのＬＥＤモジュール４に光源色の異なる２種類上のＬＥＤ４０が含まれる場合、電流調整部４１、第１限流部４２又は第２限流部４３によって各ＬＥＤ４０に流れる電流を調整することにより、ＬＥＤ発光装置１を調光及び調色することができる。
【００３３】
次に、実施形態の照明装置３の変形例を説明する。変形例の照明装置３は、図６に示すように、引掛シーリングに着脱自在に取り付けられて天井に配置される照明器具であって、一般にシーリングライトと呼称される照明器具である。ただし、照明装置３はシーリングライトに限定されない。例えば、照明装置３は、案内標識などを表示するための表示灯などであってもかまわない。
【００３４】
変形例の照明装置３は、ＬＥＤ発光装置１に含まれる４個のＬＥＤモジュール４、電源装置（不図示）、本体３０、給電部３１、配光パネル３２、カバー３３などを備える。本体３０は、金属製の板材によって円盤状に形成される。給電部３１は、本体３０の中央部分に配置される。給電部３１は、引掛シーリングと電気的かつ機械的に着脱自在に結合する。ＬＥＤモジュール４は、円弧状に湾曲形成された実装基板４４の表面（下面）に複数個のＬＥＤ４０が弧状に２列に並べて実装されている。これら４個のＬＥＤモジュール４は、給電部３１を中心とする円周方向に並べて本体３０の下面に取り付けられる。
【００３５】
配光パネル３２は、アクリル樹脂やポリカーボネート樹脂などの透光性を有する合成樹脂によって円環状に形成される。配光パネル３２は、４個のＬＥＤモジュール４の下面を覆うように本体３０に固定される。配光パネル３２における各ＬＥＤ４０との対向部分には、ＬＥＤ４０から放射される光の配光を制御するための光学部品（レンズ）３２０が一体に形成されている。
【００３６】
カバー３３は、アクリル樹脂やポリカーボネート樹脂などの透光性を有する合成樹脂により、上面が開口したへん平な円筒形状に形成される。カバー３３は、ＬＥＤモジュール４や配光パネル３２を内部に収納するようにして本体３０の下面に着脱自在に取り付けられる。なお、電源装置は、本体３０の上面側における給電部３１の周囲に配置される。
【００３７】
上述のように第１の態様に係るＬＥＤ発光装置（１）は、複数のＬＥＤモジュール（４）と、複数のＬＥＤモジュール（４）の各々の正極と電気的に接続される第１入力端子（１１）とを備える。第１の態様に係るＬＥＤ発光装置（１）は、複数のＬＥＤモジュール（４）の各々の負極と電気的に接続される第２入力端子（１２）を備える。複数のＬＥＤモジュール（４）の各々は、前記正極から前記負極に向かう順方向に沿って電気的に直列接続される複数のＬＥＤ（４０）と、複数のＬＥＤ（４０）のうちの少なくとも一つのＬＥＤ（４０）と電気的に並列接続される、一つ以上の電流調整部（４１）とを有する。一つ以上の電流調整部（４１）は、電気的な抵抗値が可変である。一つ以上の電流調整部（４１）は、抵抗値を変化させることによって少なくとも一つのＬＥＤ（４０）に流れる電流を調整する。
【００３８】
第１の態様に係るＬＥＤ発光装置（１）は、電流調整部（４１）によってＬＥＤ（４０）に流れる電流を調整することにより、複数のＬＥＤモジュール（４）のそれぞれの輝度分布の均斉度の低下を抑制することができる。
【００３９】
第２の態様に係るＬＥＤ発光装置（１）は、第１の態様との組合せにより実現され得る。第２の態様に係るＬＥＤ発光装置（１）において、複数のＬＥＤモジュール（４）の各々は、電流調整部（４１）を複数備えることが好ましい。複数の電流調整部（４１）の各々は、複数のＬＥＤ（４０）と一対一に対応して設けられることが好ましい。
【００４０】
第２の態様に係るＬＥＤ発光装置（１）は、複数のＬＥＤ（４０）の順電流を各別に調整することにより、複数のＬＥＤモジュール（４）のそれぞれの輝度分布の均斉度の低下を更に抑制することができる。
【００４１】
第３の態様に係るＬＥＤ発光装置（１）は、第１又は第２の態様との組合せにより実現され得る。第３の態様に係るＬＥＤ発光装置（１）において、複数のＬＥＤモジュール（４）の各々は、複数のＬＥＤ（４０）と電気的に直列接続される第１限流部（４２）を一つずつ有することが好ましい。前記第１限流部（４２）は、電気的な抵抗値が可変であることが好ましい。
【００４２】
第３の態様に係るＬＥＤ発光装置（１）は、第１限流部（４２）の抵抗値を増減させることにより、ＬＥＤモジュール（４）に流れる電流（順電流ＩＡ、ＩＢ、ＩＣ）を各別に調整することができる。
【００４３】
第４の態様に係るＬＥＤ発光装置（１）は、第１〜第３の態様のいずれか一つとの組合せにより実現され得る。第４の態様に係るＬＥＤ発光装置（１）において、第１入力端子（１１）と第２入力端子（１２）の間に一つ以上の第２限流部（４３）が設けられることが好ましい。一つ以上の第２限流部（４３）は、複数のＬＥＤモジュール（４）と電気的に並列接続されることが好ましい。一つ以上の第２限流部（４３）は、電気的な抵抗値が可変であることが好ましい。
【００４４】
第４の態様に係るＬＥＤ発光装置（１）は、第２限流部（４３）の抵抗値を増減させることにより、複数のＬＥＤモジュール（４）に流れる電流を一括して調整することができる。
【００４５】
第５の態様に係るＬＥＤ発光装置（１）は、第１〜第４の態様のいずれか一つとの組合せにより実現され得る。第５の態様に係るＬＥＤ発光装置（１）において、電流調整部（４１）の抵抗値の上限値が、電流調整部（４１）と電気的に並列接続されたＬＥＤ（４０）の電気的な抵抗成分の抵抗値の５０倍以上であることが好ましい。
【００４６】
第５の態様に係るＬＥＤ発光装置（１）は、ＬＥＤ（４０）に流す電流に対して電流調整部（４１）に流す電流を大幅に小さくすることにより、発光効率の低下の抑制を図ることができる。
【００４７】
第６の態様に係るＬＥＤ発光装置（１）は、第３の態様との組合せにより実現され得る。第６の態様に係るＬＥＤ発光装置（１）において、第１限流部（４２）の抵抗値の上限値が、第１限流部（４２）と電気的に直列接続されている複数のＬＥＤ（４０）の電気的な抵抗成分の合成抵抗値の３倍以上であることが好ましい。
【００４８】
第６の態様に係るＬＥＤ発光装置（１）は、ＬＥＤモジュール（４）に流す電流を大幅に小さくすることにより、調光範囲の下限を下げることができる。
【００４９】
第７の態様に係るＬＥＤ発光装置（１）は、第４の態様との組合せにより実現され得る。第７の態様に係るＬＥＤ発光装置（１）において、第２限流部（４３）の抵抗値の下限値が、第２限流部（４３）と電気的に並列接続されている複数のＬＥＤモジュール（４）の電気的な抵抗成分の合成抵抗値の５０倍以上であることが好ましい。
【００５０】
第７の態様に係るＬＥＤ発光装置（１）は、ＬＥＤモジュール（４）に流す電流に対して第２限流部（４３）に流す電流を大幅に小さくすることにより、発光効率の低下の抑制を図ることができる。
【００５１】
第８の態様に係るＬＥＤ発光装置（１）は、第１〜第７の態様のいずれか一つとの組合せにより実現され得る。第８の態様に係るＬＥＤ発光装置（１）において、複数のＬＥＤモジュール（４）のうちの少なくとも一つのＬＥＤモジュール（４）は、互いに光源色が異なる２種類以上のＬＥＤ（４０）を有することが好ましい。
【００５２】
第８の態様に係るＬＥＤ発光装置（１）は、調光だけでなく調色も行うことができる。
【００５３】
第９の態様に係る照明装置（３）は、第１〜第８の態様のいずれかのＬＥＤ発光装置（１）と、電源装置（２）とを備える。電源装置（２）は、ＬＥＤ発光装置（１）の第１入力端子（１１）及び第２入力端子（１２）と電気的に接続されて第１入力端子（１１）及び第２入力端子（１２）からＬＥＤ発光装置（１）へ直流電力を供給することが好ましい。
【００５４】
第９の態様に係る照明装置（３）は、複数のＬＥＤモジュール（４）のそれぞれの輝度分布の均斉度の低下を抑制することができる。
【符号の説明】
【００５５】
１  ＬＥＤ発光装置
２  電源装置
３  照明装置
４  ＬＥＤモジュール
１１  第１入力端子
１２  第２入力端子
４０  ＬＥＤ
４１  電流調整部
４２  第１限流部
４３  第２限流部
【図１】
2020021616.tif 000003
【図２】
2020021616.tif 000004
【図３】
2020021616.tif 000005
【図４】
2020021616.tif 000006
【図５】
2020021616.tif 000007
【図６】
2020021616.tif 000008